(57)【要約】      （修正有）【課題】掃除がしやすく、展示品の商品価値を向上させる上開き扉付のガラスの飾り棚を提供する。【解決課題】上開き扉４５、扉の受けのフレーム、サイドカバーと扉の取付け固定部を上開き扉受けのガラスの飾り棚台４０に構築してなる。扉の取付け固定部にホルダーハウジングを設け、それにドアーホルダーキッド１０を嵌合させ、ボルトを用いて締結する。上開き扉４５は、ドアーホルダーキッド１０にある取付アーム１９で締結されている。尚、ドアーホルダーキッド内は、上開き扉又はフロントガラス４５の開閉を簡単・容易にする為に圧縮用コイルバネ、ローラ等の部品並びに空圧調整装置を布設した構成になっている。【選択図】図４
0003152144.tif 000002
【実用新案登録請求の範囲】
【請求項１】
上開き扉、上開き扉受けのフレ−ム及びサイドカバ−と上開き扉の取付け固定部を上開き扉受けのガラスの飾り棚台に構築してなる上開き扉付のガラスの飾り棚に於いて、
イ）  ガラスの飾り棚台の上開き扉の取付け固定部に、上開き扉のドア−ホルダ−キット    １０に使用のガイドホルダ−の外部と嵌合するホルダ−ハウジングを設け、
ロ）  上開き扉に密接着する上開き扉受けのフレ−ムを上開き扉受けのガラスの飾り棚台    に取付け、
ハ）  上開き扉受けのフレ−ムに両側のサイドカバ−を取付け、
ニ）  ドア−ホルダ−キットに使用の上開き扉の取付けア−ムに上開き扉を取付け、
ホ）  ドア−ホルダ−キットに使用のガイドホルダ−を上開き扉受けのガラスの飾り棚台    に構築の上開き扉受けのホルダ−ハウジングに固定し、
ヘ）  上開き扉のガイドホルダ−とロッドガイドをネジで締結し、
以上の構成によりなることを特徴とする上開き扉付のガラスの飾り棚。
【請求項２】
上開き扉のドア−ホルダ−キットに使用のロッド受ガイドに上開き扉用の空圧調整装置１５を設け、上開き扉受けのガラスの飾り棚台内には物入れ及び冷凍室を設けたことを特徴とする請求項１の上開き扉付のガラスの飾り棚。
【考案の詳細な説明】
【技術分野】
【０００１】  本考案は、展示用の陳列のガラスの飾り棚および新鮮な食品の売り物などのガラスの飾り棚等に用いるもので、物品の取り出しを容易にするために上開き扉のガラスの飾り棚に関する。
【背景技術】
【０００２】  従来の実施例１（図７、８）に示すショ−ケ−スでは、裏側で引き戸又は引き扉であったり、また裏側にてガラス製の扉タイプが使用されている。また、
従来の実施例２として図９に示す様に上開き扉のものがある。（例、特許文献１、２）【０００３】
【特許文献１】  特開平０５−１４９６７３号公報
【特許文献２】  実開昭５８−１３３７８３号公報
【考案の開示】
【考案が解決しょうとする課題】
【０００４】  従来の実施例１タイプの展示用のショ−ケ−スでは、商品の取り出しが不便であり、又ショ−ケ−ス内の隅々までの掃除がし難いなどの苦情があった。
【０００５】  一方、実施例２タイプの展示用のショ−ケ−スでは、その点で上記の不便さは解消されるがドア−（又は扉）の開閉用の機能を行うガススプリング（又はショックアブソ−バ−と呼称する）の外観がショ−ケ−スの室内で視覚され、またスペ−スをとる不合理もあり、室内の商品の見た目の価値を低下させるイメ−ジを植えつける等で改良の声があった。
【０００６】  なお、ショックアブソ−バ式の使用のものは、ショ−ケ−スの容量の大きさで形式毎に選定を必要とした。即ち、大型用のショ−ケ−スには、外観が大きくなり不便さが増し、これを解消するためには小型用のものを使用するのはベタ−であるが大型のもので代用の時はショ−ケ−ス内のスマ−トさが失われ、展示品の商品価値を低下させる。
【課題を解決するための手段】
【０００７】  前記のこれらの要求・目的を達成する為に、図４に示す様な上開き扉（又はドア−）方式を採用した。尚、作業・取扱いを容易にするためにこれらを上開き扉のドア−ホルダ−キット（１０）にし、ガイドホルダ−（１）の内側に圧縮用のコイルバネ（１１）、連結のロッド（７）、ロッド受（１２）とフロントガラス（４５）の取付ア−ム（１９）にロ−ラ（４）等を使用したテコ方式の上開き扉の対応のガラスの飾り棚に使用した。
【０００８】  これらの構成を具体的に図４〜図６をもとに以下に説明する。
イ）  ガラスの飾り棚台（４０）の下部には、物入れ（４１Ｂ／ａ）があり、その上部の      室には小物入れ（４１Ａ／ａ）がある。
ロ）  ガラスの飾り棚台の上部は、品物又は商品を展示する為の空間となり空間部は展示      用の棚台（４９）が数段に設けられ照明用のランプ（２５）が付設され、
ハ）  ガラスの飾り棚台の前部は、品物または商品を見やすくする為に上開き扉（４５）      は、透明のガラスが使用されている。
【０００９】ニ）  ガラスの飾り棚台の後部には、ドア−ホルダ−キット（１０）と嵌合収納する中空      の四辺形断面で長手形状の鋼製の型枠のフレ−ムのもののホルダ−ハウジング（４      ３）が溶接又は、ネジにて構築されている。
ホ）  開閉する上開き扉（４５）と接触する対面は、ガラスの飾り棚台（４０）に扉受の      フレ−ム（４８）が構築されている。
ヘ）  上開き扉（４５）に対面するサイドのフレ−ム（４８ａ）には、サイドガバ−（２      ８）が付設されている。
【００１０】  本考案の要部であるドア−ホルダ−キット（１０）の構成を説明する。
イ）  ガイドホルダ−（１）は、図２、１０に示す様に中空四辺形断面をした長手形状の      鋼又はアルミ材製のもので、ガイドホルダ−の外部がホルダ−ハウジング（４３）      と嵌合する。
又、ガイドホルダ−（１）は、ロッドガイド（２）とロッド受ガイド（８）を内      接して収納している。
【００１１】ロ）  ロッドガイド（２）は、外周が四辺形で内側にはブロック（６）と嵌合の切欠き（      ２ａ）をもち、残り耳部に支点ピン（２２）と嵌合の孔（２ｂ）を両側に持つ。
ロッドガイドの片方側の内側の切欠き（２ａ）には、支点ピン（２２）を介して      取付ア−ム（１９）を取付けている。
ロ−ラ（４）は、ロ−ラピン（３）を芯にして取付ア−ム（１９）に取付ける。      ロッドガイドの他方側は、ロッド（７）と孔嵌合し中程のネジ（２ｄ）は、ロッド      受ガイド（８）を介してネジ付ロッド（１４）のネジ（１４ａ）と螺合して、ロッ      ドガイドとロック受ガイドの両者を締結している。
【００１２】        ブロック（６）は、ロッド（７）が一端側に孔嵌合し、ロッドガイド（２）の切      欠（２ａ）側面と摺動嵌合の構成になっている。
ハ）    また、ロッドガイド（２）は、中央部にネジ付ロッド（１４）と螺合するための      ネジ（２ｄ）をもっており、その両側には、ロッド（７）と嵌合のガイド孔（２ｅ      ）をもっている。
ニ）  ガイドホルダ−（１）は、ロッドガイド（２）を固定するために皿ネジ（１６）を      取付けの座面（１ａ）を外周にもっている。
ホ）  図６で、ホルダ−ハウジング（４３）は、ドア−ホルダ−キット（１０）を固定す      るためにホルダ−ハウジング外周にネジ（２１ｂ）を外部に持つ。
【００１３】ヘ）  次に図６にて、ロッド受ガイド（８）の外周は、四辺形でガイドホルダ−（１）の      内側と接触しており内側は密閉室（ヘ）を形成させる為に片側は一中空円形でロッ      ド受（１２）の外周と嵌合面のハメアイになっている。
なお、気密保持の為に合成ゴム製のＯ（オ−）リングを使っていて、密閉室（ヘ      ）の空気圧の調整の為にイ、ロの空気路を設けている。
ロッド受ガイド（８）は、中程にネジ付ロッド（１４）が挿入され、片方の内側      にはロッド受（１２）が摺動嵌合する構成になっている。
【００１４】ト）  また、ロッド受けガイド（８）は、密閉室（ヘ）の空気圧調整用にニップル（３１      ）を介して蝶ナット付ニ−ドル（３３）を取付けのホロウスクリュウ（３４）と螺      合のネジを設けている。
チ）  ロッド受（１２）の内外径部には、気密保持の為にＯ（オ−）リング溝（１２ａ、      １２ｂ）を持ち、内側はネジ付ロッド（１４）と嵌合するための孔（１２ｃ）を持      ち一端は圧縮用コイルバネ（１１）をガイドする為の突起部（１２ｄ）を形成して      いる。
【００１５】リ）  圧縮用コイルバネ（１１）は、ガラスの飾り棚２０内の品物の取出しに使う時に透      明のフロントガラスの端部（４５ａ）をつかみ行う時に衝撃なくおだやかである為      のもので、ドア−ホルダキット（１０）は大型小型用の容量装置に１種類で万能と      して使用出来る様に圧縮用コイルバネ（１１）で張力調整が出来る様にしている。
実例は、過負荷重に耐える様に角断面形の高級バネ材を使用している。
ネジ付ロッド（１４）は、片方にはＵナット（１７）が螺合しロット受（１２）と      摺動嵌合し、他方はロッド受ガイド（８）と孔嵌合している。
ヌ）  Ｕナット（１７）は、ネジの弛みどめ対策用の市販用商品名でバネ受（１３）をナ      ット座金面として使用している。  以上のイ）からヌ）までの部品の構成から、ド    ア−ホルダ−キット（１０）は成立して、これを上開き扉（又はフロントガラス）４    ５装着の扉受けのフレ−ム（４８ｂ）をボルト（２１）にて締結して使用する。
【００１６】  なお、Ｏ（オ−）リング（９）、パッキン（３４）の非鉄金属外は、鋼又はアルミ材の物にて対応している。又、高圧・耐久性の必要なロ−ラピン（３）、ロ−ラ（４）、ブロック（６）等のものは、熱処理材を使用して熱処理（処置）をしている。
上開き扉付のガラスの飾り棚での装飾品、小物の造花品の展示等で図７に示す様なスタイルだけに限定しなく本考案は、冷凍・冷温ショ−ケ−スにも適用使用が可能である。
【考案の効果】
【００１７】  図４に示す上開き扉付のガラスの飾り棚に用いる本考案は、上述の通りの構成であるので、引き扉、ショックアブソ−バ（又はガススピリング）式の扉に比べて次の効果を奏する。
【００１８】イ）  ガラスの飾り欄の内部にショックアブソ−バの外観がみえない為にスッキリするの      で、商品又は品物に与える好印象の影響が大で付加価値を高める。
ロ）  ガラスの飾り棚の内部にショックアブソ−バの外形スペ−スを余分なスペ−スをと      らないため商品・品物をその分に沢山に詰め込めることができる効果がある。
ハ）  ドア−ホルダ−キット１０は、上開き扉の開閉ストロ−クと開閉力を圧縮用コイル      バネにて出来る機構の為に、一種類で小型から大型容量まで対応が可能であ。
ニ）  ドア−ホルダ−キットは、機能を持った一っのアッセンブリ−として用いる事が可      能で目的によりショ−ケ−ス又は、冷蔵ショ−ケ−スにも簡易に対応ができ商品価      値、又は品物の付加価値をアップすることができる。
【００１９】ホ）  商品又は品物の取出しの際は、引き扉式は作業性が悪いが本考案の上開き扉付のガ      ラスの飾り棚は、隅々迄の配列又は取出しが良好でユ−ザ−に満足を与える。
ヘ）  又、食料品などに使うショ−ケ−スでも、隅々までの掃除なども容易に出来、凹凸      等の突起のない室内が清潔性に優れて衛生的である。
ト）  ショックアブソ−バ式は、例えば、冷凍時のマイナス１０度Ｃで０度Ｃに対しガス      による機能低下が約１０％程弱くなりドア−開閉の使用時の違和感を生じる。
本考案は、雰囲気温度に作用されない為にその様な事はない。
【考案の実施するための最良の形態】
【００２０】  つぎに本考案の実施の形態をのべる。
【００２１】    図４に於いて中に品物を入れる場合の実施の手順は、
イ）  上開き扉（又は、フロントガラス）４５の扉の端部（４５ａ）に両手を下から掛け      て上側に力を加える。
ロ）  図４の上開き扉（４５）は、扉の取付枠（４５ｂ）と共締めの取付ア−ム（１９）      に設けた支点ピン（２２）を中心に時計方向に回動する。
ハ）  回動時は、ガイドホルダ−（１）内に設けた圧縮用コイルバネ（１１）の付勢力（      Ｆ）がネジ付ロッド（１４）を介してロッド受ガイド（８）、ロッドガイド（２）      を案内されロッド（７）がブロッグ（６）を上側に押し揚げる。
ニ）  一方、上開き扉の取付ア−ム（１９）に設けたロ−ラ（４）で摩擦の抵抗が少なく      なり、付勢力（Ｆ）が上開き扉に働くために両手に加える力は、弱力にて上開き扉      （４５）を開けるのが容易となる。
【００２２】  次に、図６に図示の空気調整装置（１５）の作動を下記に列記する。
イ）  上開き扉（又はフロントガラス）４５を開ける時の両手に加わる抵抗力が、緩衝力      として緩やかに作動するために図６に示す密閉室（ヘ）の部屋を設けている。
ロ）  この部屋の空気圧を上々に降圧するには、ガラスの飾り棚（２０）の外部にて操作      出来る空気調整装置（１５）の蝶ナット付ニ−ドル（３３）を緩める（反時計方向      に回す）。圧縮コイルバネ（１１）の反発（張力）抵抗を加減する事が出来る。
【００２３】  次に上開き扉（４５）を閉める時の実施手順は、これとは反対となる。
イ）  上開き扉（４５）の扉の端部（４５ａ）を両手にて下方に力を加える。
ロ）  上開き扉の取付の取付枠（４５ｂ）と共締の取付ア−ム（１９）に設けた支点ピン    （２２）をセンタ−として（１９）に設けたロ−ラ（４）がブロック（６）を下側に      取付けア−ム側へ押しつける。
ハ）  これに伴いロッド（７）を介してロッド受（１２）を押しさげる。この際には圧縮      コイルバネ（１１）の作動力が逐次の緩衝力となる。
【図面の簡単な説明】
【００２４】
【図１】  本考案の  上開き扉付のガラスの飾り棚の正面図である。
【図２】  本考案の図１の平面図である。
【図３】  本考案の図１のＹ視（側面図）を示す。
【図４】  本考案の図１の横断面Ａ−Ｂ−Ｃ−Ｄを示す。
【図５】  本考案の図２の断面Ｅ−Ｆ．．．上開き扉用の開閉機構の要部。
【図６】  本考案の図２の断面Ｇ−Ｈ．．．上開き扉用の空気調整要部。
【図７】  従来使用のショ−ケ−スの斜視図を示す。
【図８】  従来使用のショ−ケ−スの横断面図．．．引き扉式の例
【図９】  従来使用のショ−ケ−スの横断面図．．．ガス  スプリング式の例
【図１０】  本考案の図５の断面Ｌ−Ｍである。
【図１１】  本考案の図５の断面Ｎ−Ｏである。
【図１２】  本考案の図６の断面Ｐ−Ｑである。
【符号の説明】
【００２５】    １  （上開き扉の）ガイドホルダ−、    １ａ  取付の座面
２  ロッドガイド、  ２ａ  切欠き、    ２ｂ  嵌合の孔
４  ロ−ラ                            ２ｄ  ネジ、    ２ｅ  ガイド孔
５  （上開き扉の）取付け固定部
６  ブロック
７  ロッド、    ８  ロッド受ガイド
９  Ｏ（オ−）リング、    ９ａ、９ｂ、９ｃ、９ｄ  （オ−）リング溝【００２６】  １０  （上開き扉の）ドア−ホルダ−キット
１１  圧縮用コイルバネ、    又は、バネ
１２  ロッド受
１３  バネ受
１４  ネジ付ロッド
１５  （上開き扉用の）空気調整装置
１６  ネジ    又は、サラネジ
１７  Ｕナット    又は、ナット
１９  （上開き扉の）取付ア−ム【００２７】  ２０  （上開き扉付の）ガラスの飾り棚
２１  ボルト    又は、ネジ、    ２１ａ、  ２１ｂ  ネジ
２２  支点ピン
２３  取付板
２４  連結ロッド
２８  サイドカバ−
３１  ニップル
３３  蝶ナット付ニ−ドル
３５  ガススプリング    又は、ショックアブソ−バ
３６  （取付）ア−ム支点、    ３６ａ、  ３６ｂ  （ア−ム支点）
３７  ホロウ  スクリュウ【００２８】  ４０  （上開き扉受けの）ガラスの飾り棚台
４１  物入れ、    ４１Ａ、  ４１Ｂ  （物入れ）
４１Ａ／ａ、    ４１Ｂ／ａ  （物入れの）引き手
４２  冷凍室
４３  （上開き扉受けの）ホルダ−ハウジング
４５  上開き扉    又は、フロントガラス
４５ａ、  扉の端部、    ４５ｂ  扉の取付枠
４８  （上開き）扉受けのフレ−ム、    ４８ａ、４８ｂ、４８ｃ  （フレ−ム）
４９  （上開き扉受けの）棚台、      ４９ａ、  ４９ｂ、  ４９ｃ  （棚台）【００２９】    ヘ    密閉室
イ、  ロ、  ハ、  ニ    空気孔．．．（場所を示す）
Ｆ    付勢力
【図１】
0003152144.tif 000003
【図２】
0003152144.tif 000004
【図３】
0003152144.tif 000005
【図４】
0003152144.tif 000006
【図５】
0003152144.tif 000007
【図６】
0003152144.tif 000008
【図７】
0003152144.tif 000009
【図８】
0003152144.tif 000010
【図９】
0003152144.tif 000011
【図１０】
0003152144.tif 000012
【図１１】
0003152144.tif 000013
【図１２】
0003152144.tif 000014